(57)【要約】      （修正有）【課題】筆者は、かつて、愛着のある、多くの貴重品を持っていたが、次第に無くなっていった。多にして、夏期暑中、（満月）の日に、目立って無くなるものの、その原因は、暑がりの筆者は、大低、下着類を好んで着る為、カジュアル、パンツ、シャツ、Ｔシャツをする殆どラフな衣類には、多いにして、必ずしも、ポケットが付いていなかった為であった。課題が生じた。【解決手段】人の着る、衣類、携帯バッグ他、事務具から、トイレ、車内装品に至るまで、好きな時、自由、自在、好き放題に、取り付け、取り外しが簡易に出来る、芯を主に、「コの字」、「ロの字」型にして、接着ノリを、片面、若しくは、両面に塗布し、保護紙等を剥す事で、どこにでも貼り付けられる、ポケットを作った。【選択図】図１
2008169531.tif 000002
【特許請求の範囲】
【請求項１】
「コの字」、若しくは、「ロの字」型の芯を作り、その両面、若しくは、片面に、接着済を塗布し、そこに、ガードカバー（ビニール、紙、布、素材品等を用い）をする、接着面保護（材）ポケット布で、之を覆い、いつでも、剥して使用できるを以ち、あらゆる強度を用い、工法、接着させる布をポケッットにし、持たせた場合、人動物、他が使用する、あらゆるポケットが出来る事を創作し、「取り付け、外し自在」型の、本発明されるポケットが便利さを以って、発明、される請求。
【発明の詳細な説明】
【技術分野】
【０００１】  筆者は、危険物取扱い技師免許を持っていたが、この中に「鉄」（Ｆｅ）という危険物があった。鉄の細い削り粉は、酸素（Ｏ）２原子を得て、化合する能力があり、別称、二酸化鉄を称し、鉄は、白銀色から黒色に変化する際、空気中の酸素に触れさせては、ならず、これに触れると、赤サビ（二酸化鉄）に変化する際、激しい熱量を伴い、自然発火し、大火災に至る危険（物）性でさへあったからであった。⇒鉄は、一酸化鉄から二酸化鉄に移変する。【０００２】  ところが、日本人の持つ、技術力は、この危険な「一酸化鉄」を少量づつ、小分けし、空気中の酸素を小しづつ、中に流入させる、強尽な紙袋を意図も簡単に作り、中身に之を用い、、保温済をする、カイロ灰と成し、第一次、二次特許製品を作ったが、この、強靭かつ、耐熱性の紙袋に、耐熱性布、ノリ（接着済）を複合させ、この保温物製品を、人が用いるあらゆる衣服、他に貼り付け、落ちない技術力を導入した際、この保温製品は、既に完成したかの様に見えても、未熟であり、まだ発明を組み込ませる余地が生じた時、本発明による、この強尽にして、耐熱性のある接着ノリ、布等を、そのまま、芯に用い、「コの字型」、若しくは、「ロの字型」を作って使用した際、その利用価値は、既にカイロに使用するのみ価値（Ｙバリュー）を離れ、Ｘバリュリー化し、あらゆる人動物が使用する、衣類、小間物、事務品、道具類、他をして、必要時には貼り付け、不要時には取り外しの効く便利ポケットが人間の生凄する範囲において、必要不可欠となり、無限に消費され続ける程の技術力が生じ、トイレに使用され、チョッキ、附帯袋……他に使われ、【０００３】  又、本発明品、ポケットに照明器具をいれ、（夜間）照らす目的を以って、使用する際には、黄、（淡い）朱色灯が理想となり、警戒船等に用いる、警戒灯には、青赤反対色を同一物体に用ける危険回避色が理想となり、遠方通信他、遭難時救助灯では、白色灯が理想となる。発光灯を、必要時、いつでも、之に常設できる技術力が、之にあった。
【背景技術】
【０００４】（Ｔ．３１０）ヤニトリマド参照。（Ｔ．２７０）陣羽織参照。（Ｔ．４００）ハイカトリ参照。（Ｔ．４２０）発光ペンダント参照。（Ｔ．１０）兜型ヘルメット参照。（Ｔ．３０）健康手袋参照。（Ｔ．４０）多目的収納ケース参照。（Ｔ．６００）Ｌ字型定規参照。
【発明の開示】
【発明が解決しようとする課題】
【０００４】  ２０万円相当の紅サンゴで出来ているマドロスパイプを無くした事があった。ベッコ
2008169531.tif 000003
あった。通帳を無くした事があった。ダイヤを散りばめたロレックス腕時計を無くした事があった。―――を無くした事があった。―――を無くした事があった。そして、
2008169531.tif 000004
顔は顔相と手相に、蚯蚓脹れの様に、貧相がむき出しに表れ、形相が凄ましく悪くなっている事に気付いた。（Ｔ．３１０、ヤニトリマド参照）【０００５】  信心深い筆者の肉身が、人動物には、バイオリズムがあり、星の下があり、吉年、凶年がある等と、ゴチャゴチャ言っていた事を思い出していた頃、その肉身が亡くなった。と言う訃報電信書を受けとり、その信書さへ無くしてしまった。何とかしなければならない。と思い、どうしたら、物を、無くさないで済むか？  考え続けた。課題が生じた。
【課題を解決するための手段】
【０００６】  一つ一つの、これら貴重品の紛失原因を真剣に考えた時、共通して、衣服や、パンツ、シャツの大概の場所に、欲しいと思われながらにしても、そこには、ポケットが無く、貴重品を、膚身離さず、身に付けている事が出来なかった由以にして発生した事故であって、―――ここに気が付く事だったが、世の中には、高価な物を身に付けていると、人々は、信用してくれるが、そうしないでいると、人々は、信用してくれない事に知り、この様にするには、絶対に必要とする貴重品を絶対に身体から離してはいけないものである時、衣服、下着類には、必要な時、ポケットを付け、そうでない時には取り外せる、取り付け、取り外し自在形、ポケットが、世に在って、自由自在に出来た際には筆者に見られる、この悲惨な、紛失、盗難事故を極単に減らす事が出来ると、考え、実行した時、既に、本課題は解決していた。
【発明の効果】
【０００７】  筆者は科学者であったが、柔道、空手、剣道他、武道をコドモの頃から興味を覚え、嗜み、修練する事、体力には、相当に自信があり、多くの自然科学をする、科学実験の為に、自分の躰を、この人体実験に使った為、気が付くと、あれ程、自負していた、歯は欠け、目は劣え、骨折の後遺症も生々しく、肝臓もボロボロになっており、身も心も疲れ果てていた。これでは、いけない。と思い、修腹する事に、心がけ、専念した際にも、科学は、どうしても必要となった。安価格、治療し易い物は無いか、と考え続ける中、【０００８】  とりあえず、アチコチの古傷や、骨折した所の後遺症を治さなければならない。と考えた際、近年発明される（従来の技術となり、Ｙバリュー化する、粘着テープ付き、使い捨て）カイロを、適在、適所における衣服に貼布してみた所、実に具合が良く、古傷は温められて、次第に治っていく気がしたが、同じ箇所に、何度も付けては剥し、付けては剥し、しているうちに、衣服の内側が痛み出す上、貼り付け型のカイロは、コストが高くつき、長期間、貼り付けて置く事が出来ない欠点（Ｙバリュー）があり、（Ｙバリューとは、筆者が、相対性理論を、万爆法則に変換した時、優性するＸバリューの同位の元、劣性するマイナス要素を命名した言葉であった。）、それが、ウットウしく、大変面倒くさいものであった際、本発明される「取り付け外し自在型（カイロ）ポケットに、これを入れ、出し入れすると、Ｙバリュー化した、あらゆる国内にある、カイロが、低価格コストの元に、Ｘバリュー化する物となった。【０００９】  しかしながら、本発明品は、貼り付けカイロの不便さを解消し、之を携帯カイロに変貌させる活気的な発明力を発輝したが、その便利さは底の知れない無尽力を提し続け
【発明を実施するための最良の形態】
【０００１０】  取り付け、取り外しポケットの発想、発明は未だになく、これを実際に実行できる技術力は、現在、優秀な科学、技術力を身に付け、世界トップクラスのファジーさへ持つ、日本の科学、技術者をして、その技術力にあり、既に完成しているものばかりであった。【０００１１】  即ち、本発明品の取り付け外しポケットを衣類、帽子、ナイロン袋、車の内ドア、カバン、トイレ、ファイル帳、ティッシュ袋、バッグ‥‥‥等、無限に広がる利用対象物に貼布する際、図１の１に見られる、大概、「コの字」の芯を作り、その片面、若しくは、両面に、使用用途に合わせた、「ファジィーノリ」（接着済）を塗布し、それに、ガードカバーを付け販売される形状の物が望ましく、
形状、大きさがマチマチで違う物は、図１の  に見られる様、ファイル帳をガードカバーにして、「取り付け、取り剥し自在ポケット」をこれに貼布する、多量販売できる形状の物が理想となる中、【００１２】  本発明品には、日本の優れた接着済のファジィーが、どうしても必要となる物ばかりであり、Ｆ（ファジー）１度、現在、ファージ、シオリ紙に使われる、接着力を理想とし、
Ｆ．２度、現在、使い捨てカイロに使われる、接着力を理想とし、
Ｆ．３度、現在、工法接続、低度、出来る、接着力を理想とし、
Ｆ．４度、現在、工法接続、中度、出来る、接着力を理想とし、
Ｆ．５度、現在、工法接続、強度、出来る、接着力を理想とし、
Ｆ．６度、現在、工法接続、超度、出来る、接着力を理想とし、
Ｆ．７度、現在、工法接続、重度、出来る、チャックを理想とする中、
【実施例】
【００１３】  筆者の血液型はＢ型であり、Ｂ型は、キュウクツな衣服を嫌い、ユッタリした服装を好む傾向があるらしく、夏期暑中は、必ず、アロハシャツ、パンツでいたが、更に暑い日には、アロハシャツも脱ぎ捨てて、よく昼寝をしていたが、アロハシャツのポケットに入れておいた筈の、２０万円の紅サンゴで造った、マドロスパイプが無くなり、続いて、ベッコ
2008169531.tif 000005
であり、筆者の性格がグレ始めたのも、この頃からであった。――人間不信が始まり、【００１４】  発明が必要である。と思い、アロハシャツのパンツには通常付いてはいない筈のポケットを、これに付けておけば良く、普通のパンツにも、いつでも取り付けておけるが、ジャマになり（プール、海で泳ぐ時ジャマになる。）不要な時、いつでも取り外し出来る、Ｆ２強度にある接着力で、ポケットを付け、ポケットには、θリングを付け、鎖を付けられる様にし、貴重品をこれで固縛した時、紛失事故は無くなり始め、遂にはなくなった。【００１５】  しかしながら、この、取り付け、取り外し自在ポケットを布地、他ビニール等で作り、底部を綴じた、Ｔシャツ、チョッキ型に製作し、その内側、外側に小間物入れポケットとして、本発明品を用い、ポケットには、小間物品の名称を分り易く書いておくと、日常使
2008169531.tif 000006
帯し易く、常に、人々が、本発明品を携帯する事で、最近、人々が、モテあます、買物ビニール袋が、画然といらなくなり、市場のゴミ袋公害を激減させる程の効力があり、――日常、買物に出かけた際、小間物（有事の際の必要品）を常に買い備えて置く事の出来る効果があり、購売意欲をそそり、この発明品をＴシャツの形状にして、ハンガーに掛けて並べ貯える効果もあり、イザという時、このＴシャツをソックリ、洋服ダンスから持ち出せる便利さがあって、有事の際、どうしても不足しがちな下着類にも困らず、Ｔシャツ、パンツの底部を切断しなければ、ゴミ袋にも困らない便利さがあった。
【産業上の利用の可能性】
【００１６】  筆者が、宇宙工（科）学を専修し、他、法医学を専攻学習していた頃は、まだ（十代で）若かった。その際、物理空間にも、多くのポケットがある事が分った。ポケットと
2008169531.tif 000007
―――それら全てには、名称が記されており、決っして忘れ去られる事のない（メモリー）物となっていた。
【００１７】  そして、機械による脳（スパコン）では、人知れぬ内に、ポケットの数を便利にし、その数を更に増やし、人動物の脳筋連立体を形成するを真以するままに、電話回線、テレビラジオ、ファックス‥‥‥等の回路、回線と直結しながら、次第に人間社会（心層心理）へと深く喰い込んで広がってゆくものであった時、（Ｔ．１７０、盗聴コンウィルス防止器。Ｔ．３０、健康手袋。Ｔ．５１０、ジェダー。Ｔ．５８０、カルラーコクン。Ｔ．７３０、ＵＦＯ工型機。Ｔ．６６０、ＥＳＰハウリング参照）
【００１８】  人動物支神経、末端にあって、脳筋連立体をして、その連絡先にある、人々が日常使用する衣服、道具、小間物入れ、袋等に至るまで、必要に応じ、自分がして、自在に貼り付け、不要時には、捨て（塗り替え）られるポケットが任意のままに出来る事が、可能となる時、その利用価値は、人（個人、法人、企業）の脳にあるポケットに匹敵（現在のギ、バイト）する程まで、必要且つ便利を得る価値を生じさせ、爆発的な消費力を得て、一日の購売、消費率は、数百万個から一千万個を越え、低コストの元に排出生産されるものである事を確信する時、やがては、日本国家の財源を潤し続ける事が出来るまでの産業上の利用の見い出す発明品となった。
【図面の簡単な説明】
【００１９】
【図１】  余暇を利用し、衣装（学）の本を読み漁った事があった。衣服、衣料、携帯品を作るのには、それ相当の優れたデザイン力が必要であったが、衣料品、先進国、イタリア、フランス、イギリス‥‥‥等をして、その優れたデザイン力にある、ポケットの配置位置をこの時、筆者は、ズッと見続け、研究していた時期があった。―――しかしながら、それは、全て完壁な位置にあって、デザイン力は、出尽され、完成しているものばかりであったが、用を足してはいなかった。―――欲しい時に、そこにポケットを作り要らない時には、取り外せる、ポケット類をそこに、新発想の元に付加してみた所、それは、超完成力を見るまでに一歩進んだ衣料、衣服、携帯品における更なる完成を見る事が出来、ギガバイトに至るまでの、複帯品以外においても、事務用品、車携帯用品、トイレ用品‥‥‥等々と、その広がりを拡大してゆく事を図示した一例を示した図であった。
【符号の説明】
【００２０】１．本発明、「コの字ポケット」の全容を示す、裏から見た正面図となり。２．ファジーノリ、Ｆ２度のものを、ここに塗布し。３．ガード、カバー紙を剥して、本発明品を衣服に付着させる事が出来る事を示している図となるが。４．表側には、強靭な耐熱布を貼り付け。５．（使い捨て）カイロ等が入れられる取付け外し自在型ポケットとなる事を
2008169531.tif 000008
をする際、ユーモラスで実に目立っていた事に、買い物をする時、彼等は、事ある如くに、外人にはめずらしい腹巻から（但し、類する物は北欧にもある。）財布を取り出し入れをしていた。所が、之は、スリや、盗難、紛失防止には、大変役立つ物であったらしかった。６．それ故、本発明品は、（下着に対して、ポケットとなる）これに対し、一つのシャツを作り、胴まわりで切断できる。７．切断チャックを取り付け。８．胸部、腹巻きと、９．夏期暑中、ヘソ出しシャツと成し、この裏側に、「取り付け外し自在ポケット、を貼布させ、貴重品を下着に付ける事から盗難妨止に役立ち、下着にポケットが付き、物が、そこに入っている事の煩しさから、ポケット不要時には、自在に之が取り外して捨てる事の出来る事を示す、下着、ポケット一体型衣類を示した図であった。１０．取り付け取り外し自在ポケットの側面図。１１．パスポート。１２．チケット。１３
2008169531.tif 000009
。１５．サングラス入れ、工法捕強金具（帽子）を必要とし、本発明品ポケットを、更に之
2008169531.tif 000010
の為、つなぐ鎖を示している図であった。１７．帽子のツバに切断チャックを付けると、
2008169531.tif 000011
２０．定期巻。２１．メモ帳。２２．筆記具入れポケット。２３．本発明、取外し自在ポケット付帽子紛失防止リール。２４．リール糸の先にネクタイピン等、接続金具を付けた図。２５．ライター入ポケット。２６．財布入れポケットを示す図であったが、いずれも本発明、取り付け外し自在ポケットには、ポケット内容物の名称を、そこに記載する事が理想であった。２７．Ｔシャツ型に袋を作り、底にチャックを付け、底部を綴じると、いつでも買い物袋になる事を示した図であったが、この様に、「取り付け外し自在ポケット」付、Ｔシャツ袋を、布、紙、他ビニール、ナイロン製品で、大量生産した場合、気に入らないポケットは、自由に取り替える事が出来、常に、日常の必需品が、このポケットの中に入っている事から、人々は常に、本発明品を携帯したくなる効があり、２８．ショルダー
2008169531.tif 000012
され続けては、すぐにゴミとなり、ゴミ公害の元となる、ビニール製買物袋の消費を減らす効果が生じ、緊急時備品を貯え易く、購売意欲を唆り、買い忘れがなく、買い備えては、消費しながら、本発明、ポケット付き、袋状Ｔシャツは、自ずと、１億２千万人の各家庭のロッカーや、洋服ダンスに、備畜され始め、有事、緊急時には、必ず不足する、下着類でさへ、本発明品で間に合い、各個人の財源で備畜され続ける事、古くなって、不要する際にはゴミ袋となる事を示す図であったが、一日数百万個以上の排出消費が見越される本発明品には、下着業界、ファスナー業界、接着業界、製紙業界、カイロ製造業界‥‥等々を揺り動かし、市場景気を一気に動かす躍動力となる事を示す図であった。２８．ライター入れポケット。２９．タバコ入れポケット。３０．開閉式チャック。３１．ショルダ
2008169531.tif 000013
ト。４１．歯ブラシ入れポケット。４２．定規入れポケット。４３．開閉チャック止め金具。４４．安全枕、取付け金具。４５．登山ナイフ入れポケット。４６．リュックサック
2008169531.tif 000014
４９．靴下。５０．手袋（Ｔ．３０参照）  ５１．虫除け線香入れ容器（Ｔ．４００。山火事防止に役。）  ５２．電工バッグ。５３．ペンチ入れポケット。５４．ニッパ入れポケット。５５．＋ドラバー入れポケット。５６．−ドイバー入れポケット。５７．Ｔシャツの首廻わりを信玄袋にした図。５８．ベルト。５９．発光ペンダント（Ｔ．４２０参照）  ６０．透明色ビニールでで製作される、本発明ポケット。６１．本発明、ポケット付、Ｔシャツ入れリックザック。６２．ミソ入れポケット。６３．塩入れポケット。６４．米入れポケット。６５．ローソク入れポケット。６６．しょうちゅう入れポケット。６７．カンキリ入れポケット。６８．本発明、芯を「ロの字」に作り、芯に接着済を塗布し、ガードテープで保護した物であったが、裏表てのガード、保護テープを剥し、市販されるティッシュボックスに貼り合わせた場合、（トイレをして）好きな所や、室内、壁面に之を張り付ける事が出来た時、ティッシュボックスの売れ行きは倍増し、（低コストの元）トイレのトイレットペーパー取り付け器は、この世から消滅し消えて無くなる程の威力を見せた。６８．自動車ドア内面図。６９．ティッシュボックス  ７０．「コの字ポケット収容型、ファイルノート。」この様にして市販すると、ポケットが多く売れます。７２．ランニング用、トレパン。．７３．手帳入れポケット。７４．携帯灰皿入れポケット。７５．チリ紙入れポケット。７６．マドロスパイプ入れポケット。（Ｔ．３１０、ヤニ取りマド参照）  ７７．釣り針を入れた「コの字ポケット」を示す図。７８．爪切り衛生用品入れポケット。７９．ハンカチ入れポケット。８０．針糸入れポケット。８１．缶詰入れポケット。８２．和紙、若しくは新聞紙、３５枚以上重ねて、本発明ポケットに、入れると、防弾チョッキとなります。（Ｔ．２００、示現流．参照）  ８３．本発明ポケットにビニールを一枚、平に入れ、バイクに乗ると寒さを感じなくなります。８４．懐中電灯入れポケット。８５．警棒入れポケット。８６．ピストル入れポケット（海外。許可銃）  ８７．日常薬品入れポケット。８８．市販、ポケットティッシュ入れ、ポケット。８９．物袋入れになる事を示す、ポケット付Ｔシャツを示す図。９０．現在市販されている、ファイル帳。９１．本発明される、取り付け外し自在ポケット。９２．名刺。９３．ジーパン。９４．傘入れポケット。９５．傘。９６．カバン。９７．剥離済。（ポケットのいらない時、之を剥す、剥り剤となります。）  ９８．呼子入れポケット。９９．定規入れポケット。１００．メジャック入れポケット。（Ｔ．２１０、参照）  １０１．ペット入れ前掛け袋、側面
2008169531.tif 000015
【図１】
2008169531.tif 000016
2008169531.tif 000017
2008169531.tif 000018
【手続補正書】
【提出日】平成19年5月15日(2007.5.15)
【手続補正１】
【補正対象書類名】図面
【補正対象項目名】全図
【補正方法】変更
【補正の内容】
【図１】
2008169531.tif 000019
【図２】
2008169531.tif 000020
【図３】
2008169531.tif 000021
【図４】
2008169531.tif 000022
【手続補正２】
【補正対象書類名】明細書
【補正対象項目名】００２０
【補正方法】変更
【補正の内容】
【００２０】
【図１】  本発明品、「コの字ポケットの全容を示す、裏から見た正面図であり、ファジーノリ、Ｆ２度低度のものを、ここに塗布した時、そのガード、カバー紙を剥して、本発明品を衣服に付着させる事が出来る事を示している。
【手続補正３】
【補正対象書類名】明細書
【補正対象項目名】００２１
【補正方法】変更
【補正の内容】
【００２１】
【図２】  日本国民は、善意の国民であり、最近、乱発されて目立つ不要の買物袋の少量化に同意する者も多くいた。そこで、之を一枚五円低度のコストで、８枚折り低度のコンパクト品にし、コの字型ポケットに入れ、販売した場合、之をシャツ、ズボンの目立たない内側に貼り付けた際、何度も、使い古し品を、この中に入れて置く事で、買い物袋の不要乱費が防げた。要するに、人々は、買物袋の欲しい時、之が手元に無いのがいけなかった事を示す図であり、又、有事の際程、買物袋は、大変重宝になる物である事を示す図。
【手続補正４】
【補正対象書類名】明細書
【補正対象項目名】００２２
【補正方法】追加
【補正の内容】
【００２２】
【図３】  ロの字ポケットを用い、人の目の周囲に用いるべく、小型化されたくり抜きカイロをこの部所に就寝前に当てがうと、遠視、近視、乱視が緩和され、目の周囲のシワ等も無くなってゆく事を、ガイ骨で示した図の他、本発明品、コの字、ロの字型ポケットの無尽蔵に広がる利用例を示した図。
【手続補正５】
【補正対象書類名】明細書
【補正対象項目名】００２３
【補正方法】追加
【補正の内容】
【００２３】
【図４】  本発明品、コの字型ポケットの無尽蔵に広がる使用例を図示した図。
【手続補正６】
【補正対象書類名】明細書
【補正対象項目名】００２１
【補正方法】変更
【補正の内容】
【００２４】
【符号の説明】
１、本発明、コの字ポケットの全容を示す、裏から見た正面図となり、  ２、ファジーノリ、Ｆ２度のものを、ここに塗布し。  ３、ガード、カバー紙を剥して、本発明品を衣服に付着させる事が出来る事を示している図となるが。  ４、表側には、強靭な耐熱布貼り付け。  ５、（捨い捨て）カイロ等が入れられる取り付け外し自在型ポケットとな  事を示した図であり。  ６、「袋ポケット付ヘソ出しシャツ」の全容を示す図となり、  ７、一昔前、欧米旅行をする、お金持ちの農家人が、＿＿＿＿＿農協団体ツアーをする際、ユーモラスで実に目立っていた事に、買い物をする時、彼等は、事ある如くに、外人にはめずらしい腹巻から（但し、類する物は北欧にもある。）財布を取り出し入れをしていた。所が、之は、スリや盗難、紛失防止には、大変役立つ物であったらしかったものであり、日本国の代表する腹巻きに、本発明、「取り付け外し自在ポケット」を付けた物を示す図であった。  ８、それ故、本発明品は、（下着に対して、ポケットとなる）これに対し、一つのシャツを作り、胴まわりで切断できる、切断チャックを取り付け、胸部と腹巻きに二分割できる様にし、夏期暑中、ヘソ出しシャツと成し、この裏表に、「取り付け外し自在ポケット」を貼布させ、貴重品を下着に付ける事から盗難防止に役立ち、下着にポケットが付き、物が、そこに入っている煩しさから、ポケット不要時には、自在に之が取り外して捨てる事の出来る事を示す、下着、ポケット付き一体型衣類を示した図であった。  ９、取り付け取り外し自在ポケットの側面図。１０、灰皿入れポケット。  １１、パスポート。  １２、チケット。  １３、財布固縛チェーン。（Ｔ．３１０、  Ｔ．３２０、参照）  １４、取り付け、外し自在型眼鏡入れポケット。  １５、眼鏡入れポケット（帽子に接続する）補強金具を示した図であり、本発明ポケットを帽子に工法接続する際、（高級）眼鏡、他、携帯電話等を之をこの中に入れ、この破捐、紛失防止の為、リング、ボタン、ネクタイピン等の金具を使用する事を示しており、  １６、本発明ポケットと眼鏡を紛失防止の為、つなぐ鎖を示している図であった。  １７、帽子のツバに切断チャックを付けると、本発明ポケットと眼鏡が更に使い易くなる事を示した図。  １８、電話入れポケット。  １９、眼鏡。  ２０、定規券入れポケット。  ２１、メモ帳入れポケット。  ２２、筆記具入れポケット。  ２３、貼り付け型、リール付呼子。  ２４、リール先にネクタイピン等の接続金具を付ける（帽子紛失防止器）図。  ２５、ライター。  ２６、財布入れポケット。を示す図であった。いずれも、本発明、取り付け外し自在ポケットには、ポケットの中の内容物の名称を、そこに記載する事が理想であった。  ２７、シャツ型に袋を作り、底にチャックを付け、底部を綴じると、いつでも買い物袋になる事を示した図であったが、この様に、「取り付け外し自在ポケット」付、シャツ袋を、布、紙、他ビニール、ナイロン製品で、大量生産した場合、気に入らないポケットは、自由に取り替える事が出来、常に、日常の必需品が、このポケットの中に入っている事から、人々は、常に、本発明品を携帯したくなる効果があり、  ２８、ショルダー紐や、腹帯袖を用いると、更に、どうしても携帯したく���る効果が生じる時、近年、超大量に生産され続けては、すぐにゴミとなり、ゴミ公害の元となる、ビニール製買物袋の消費を減らす効果が生じ、緊急時備品を貯え易く、購買意欲を唆り、買い忘れがなく、買い備えては、消費しながら、本発明、ポケット付、袋状シャツは、自ずと、１億２千万人の各家庭のロッカーや、洋服ダンスに、自費を以って、備蓄され始め、有事、緊急時には、必ず不足する、下着類でさへ、本発明品で、ゆったりと、各個人の財源で備蓄され続ける事、古くなって、不要する際には、ゴミ袋や、ウェス、松明、包帯にさへ、なって行く事を示す図であったが、一日、数万万個以上の排出消費が見越される本発明品には、下着業界、ファースナー業界、接着業界、製紙業界、カイロ製造業界………等々を揺り動かし、市場景気を一気に動かす躍動力となる事を示す図であった。  ２８、ライター入れポケット。  ３２、マスコット吊金具。  ３３、スナック入れポケット。  ３４、鼻毛切りハサミ入れポケット。  ３５、鏡入れポケット。  ３６、化粧水入れポケット。  ３７、ハンカチ入れポ
2008169531.tif 000023
。  ４１、歯ブラシ入れポケット。  ４２、定規入れポケット。  ４３、開閉チャック止め金具。  ４４、車輌安全枕、取り付け金具。  ４５、登山ナイフ入れポケット。  ４６、リュックサック。  ４７、虫除け容器入れポケット。  ４８、ワサビ入れポケット（Ｔ．１２０参照）  ４９、靴下。  ５０、手袋（Ｔ．３０参照されたし、但し、手足の甲に、カイロを入れ、夜半、温めると、老化による、シワの発生が暖和する効果が見られた。）  ５１、虫除け線香入れ容器（Ｔ．４００。山火事防止に役立つ。）  ５２、電工バッグ。  ５３、ペンチ入れポケット。  ５４、ニッパ入れホケット。  ５５、＋ドライバー入れポケット。  ５６、−ドライバー入れポケット。  ５７、シャツの首廻わりを信玄袋にした図。  ５８、ベルト。  ５９、発光ペンダント（Ｔ．４２０、参照）  ６０、透明色ビニールで製作される、本発明ポケット。  ６１、本発明、シャツ型ポケット付ザック。  ６２、ミソ入れポケット。  ６３、塩入れポケット。  ６４、米入れポケット。  ６５、ローソク入れポケット。  ６６、焼酎入れポケット。  ６７、カンキリ入れポケット。  ６８、本発明、芯を「ロの字」に作り、芯に接着剤を塗布し、ガードテープで保護した物であったが、裏表てのガード保護テープを剥し、市販されるティッシュボックスに貼り合わせた場合、（トイレ、台所をして）好きな所や、室内、壁面に之を張り付ける事が出来た時、飽和している、ティッシュ、ボックスの売れ行きは、倍増し、（低コストの元）トイレのトイレットペーパ取り付け器は、この世から消滅し、消えて無くなる程の威力を見せた。但し、ノリ付強度は、この場合、ティッシュボックス盗難妨止の為、Ｆ４度が望ましかった。  ６９、ティッシュボックス盗難妨止用スチールボックス。  ７０、蝶番。  ７１、ティッシュボックス。  ７２、ティッシュボックス差し込み口。  ７３、手帳入れポケット。  ７４、この様にしてポケットを市販すると、ポケットが市場で多く売れます事、ポケット保存ファイル帳を示す図。  ７５、チリ紙入れポケット。  ７６、マドロスパイプ入れポケット。  ７７、釣り針を入れた「コの字ポケット」を示す図。  ７８、爪切り衛生用品入れポケット。  ７９、ハンカチ入れポケット。  ８０、針糸入れポケット。  ８１、缶詰入れポケット。  ８２、和紙、若しくは新聞紙、３５枚上上重ねて、本発明ポケットに入れると防弾チョッキとなります。（Ｔ．２００．示現流参照）  ８３、本発明ポケットに、冬期、ビニール一枚、平に入れ、バイクに乗ると寒さを感じなくなる事と共に、ロの字の芯の片面に、ビニールを貼り、反対の面をズボンに貼ってもよく、ビニールの替わりに、厚手の生地をこれに貼り付けると、転倒事故に遭った際、ケガがしにくくなる効果がある事を示した図。  ８４、懐中電灯入れポケット。  ８５、警棒入れポケット。  ８６、ピストル入れポケット（海外、許可銃）  ８７、常備薬入れポケット。  ８８、市販、ポケットティッシュ入れポケット。  ８９、買い物袋入れになる事を示す（ポケット付シャツ）図。  ９０、現在市販されているファイル帳に以るが、取り付け、取り外し自在となるポケットが、これに付いている事を示している図。  ９１、本発明される、取り付け外し自在ポケット。  ９２、名���。  ９３、ジーパン。  ９４、傘入れポケット。  ９５、傘。  ９６、カバン。  ９７、剥離済。（ポケットのいらない時、之を剥す、剥離剤となります。）  ９８、呼子入れポケット。  ９９、タオル地で眼帯を作り、之に、本発明ポケットを用い、米噛の位置や、両眼の周囲に、拾い捨てカイロ（１０〜３０分消費）を用いる他、手の甲、足の甲に就寝時に之を用いた場合、近視、乱視、遠視他、目の周囲のシワや、手足に生えるシワ等が、暖和され、治療されてゆく様に思われた。（但し、眼球は直接温めない方が良い様に思われる事を示した図。）  １００、Ｘジャック入れポケット（Ｔ．２１０．参照）  １０１、ペット入れ前掛け袋、側面図を示した図であるが、  １０２、人間の躰が当る部分は、柔いプラスチック性の芯がある。事が望ましい。と考えられる図であった。１０３、首かけ紐。１０４、腰かけ紐。１０５、ペット１０６、ペット用食品。１０７、人体米噛み位置  １０８、眼の周囲。１０９、ポケット状の布。  １１０、コンパクトに折られて、コの字ポケットに入れられた買物袋。  １１１、シャツ。  １１２、ズボン。  １１３、使い古しの買物袋。
【手続補正書】
【提出日】平成19年8月17日(2007.8.17)
【手続補正１】
【補正対象書類名】手続補正書
【補正対象項目名】手続補正２
【補正方法】変更
【補正の内容】
【手続補正２】
【補正対象書類名】明細書
【補正対象項目名】００１９
【補正方法】変更
【補正の内容】
【００１９】
【図１】  本発明品、「コの字ポケットの全容を示す、裏から見た正面図であり、ファジーノリ、Ｆ２度低底のものを、ここに塗布した時、そのガード、カバー紙を剥して、本発明品を衣服に付着させる事を示している。
【図２】  日本国民は、善良の国民であり、最近、乱発されて目立つ不要の買物袋の少量化に同意する者も多くいた。  そこで、之を一杯五円低度のコストで８杯折り低度のコンパクト品にし、コの字型ポケットに入れ、販売した場合、ズボンの目立たない内側に貼り付けた際何度も、使い古し品を、この中に入れて置く事で、買物袋の不要乱費が防げた。要するに、人々は、買物袋の欲しい時、之が手元に無いのがいけなかった事を示す図であり、又、有事の際程、買物袋は、大変重宝になる物である事を示す図。
【図３】  ロの字ポケットを用い、人の目の周囲に用いるべく、小型化されたくり抜きカイロをこの部所に就寝前に当てがうと、遠視、視、乱視が緩和され、目の周囲のシワ等も無くなってゆく事を、ガイ骨で示した図の他、本発明品、コの字、ロの字型ポケットの無尽蔵に広がる利用例を示した図。
【図４】  本発明品、コの字型ポケットの無尽蔵に広がる使用例を図示した図。
【手続補正２】
【補正対象書類名】手続補正書
【補正対象項目名】手続補正３
【補正方法】削除
【補正の内容】
【手続補正３】
【補正対象書類名】手続補正書
【補正対象項目名】手続補正４
【補正方法】削除
【補正の内容】
【手続補正４】
【補正対象書類名】手続補正書
【補正対象項目名】手続補正５
【補正方法】削除
【補正の内容】